(57)【要約】【課題】  携行性および収納性に優れた薄型の折り畳みキーボードを提供する。【解決手段】  第１キーアセンブリと、該第１キーアセンブリに回動可能に接続された第２キーアセンブリと、該第２キーアセンブリに回動可能に接続された第３キーアセンブリとを備えた折り畳みキーボードにおいて、折り畳み状態時には、前記第１キーアセンブリが、前記第２キーアセンブリと第３キーアセンブリとの間に配され、かつ、操作状態時には、前記第１キーアセンブリ、前記第２キーアセンブリ、および前記第３キーアセンブリが、実質上同じ水平面上に配されるようにした。【選択図】図３Ａ
2005302016.tif 000002
【特許請求の範囲】
【請求項１】
第１キーアセンブリと、
該第１キーアセンブリに回動可能に接続された第２キーアセンブリと、
該第２キーアセンブリに回動可能に接続された第３キーアセンブリと
を備え、
前記第１キーアセンブリは、折り畳み状態時には、前記第２キーアセンブリと第３キーアセンブリとの間に配され、かつ、
前記第１キーアセンブリ、前記第２キーアセンブリ、および前記第３キーアセンブリは、操作状態時には、実質上同じ水平面上に配されることを特徴とする折り畳みキーボード。
【請求項２】
前記第１キーアセンブリは、前記第３キーアセンブリより幅が小さく、かつ、
前記第１キーアセンブリは、前記第２キーアセンブリの左側に配されている請求項１に記載の折り畳みキーボード。
【請求項３】
前記第１キーアセンブリは、複数の第１キーを備え、
前記第２キーアセンブリは、複数の第２キーを備え、
前記第３キーアセンブリは、複数の第３キーを備え、かつ、
前記第１キーおよび前記第３キーは、折り畳み状態時には、前記第２キーに面している請求項１に記載の折り畳みキーボード。
【請求項４】
前記第１キーアセンブリは、第１ホック部を備え、
前記第２キーアセンブリは、第１ロック部を備え、かつ、
前記第１ホック部は、折り畳み状態時には、前記第１ロック部に係合され、前記第１キーアセンブリを固定する請求項１に記載の折り畳みキーボード。
【請求項５】
前記第１キーアセンブリは、第１凸部と第１凹部とを備え、
前記第２キーアセンブリは、第２凸部と第２凹部とを備え、かつ、
折り畳み状態時には、前記第１凸部は、前記第２凹部に嵌合されるとともに、前記第２凸部は、前記第１凹部に嵌合される請求項１に記載の折り畳みキーボード。
【請求項６】
前記第１キーアセンブリと前記第２キーアセンブリとを接続する接続部をさらに備え、
該接続部は、
前記第１キーアセンブリに軸支された第１回転軸と、
該第１回転軸から間隔をあけて前記第２キーアセンブリに軸支された第２回転軸と
を備える請求項１に記載の折り畳みキーボード。
【請求項７】
前記接続部は、第２ホック部を備え、
前記第３キーアセンブリは、第２ロック部を備え、
前記第２ホック部は、折り畳み状態時には、前記第３キーアセンブリを固定するために前記第２ロック部に係合される請求項６に記載の折り畳みキーボード。
【請求項８】
前記第２キーアセンブリおよび第３キーアセンブリにそれぞれ軸支されたリンケージと、
前記第２キーアセンブリに軸支された第１側板と、
前記第３キーアセンブリおよび前記第１側板にそれぞれ軸支された第２側板と
をさらに備える請求項１に記載の折り畳みキーボード。
【請求項９】
前記第２キーアセンブリは、
前記リンケージの一端に軸支された第３軸と、
前記第１側板に軸支された第４軸と
を備える請求項８に記載の折り畳みキーボード。
【請求項１０】
前記第３軸と前記第４軸とは、操作状態時には、それぞれ異なる水平面上に配される請求項９に記載の折り畳みキーボード。
【請求項１１】
前記第３キーアセンブリは、
前記リンケージの一端に軸支された第５軸と、
前記第２側板に軸支された第６軸と
を備える請求項８に記載の折り畳みキーボード。
【請求項１２】
前記第５軸と前記第６軸とは、操作状態時には、それぞれ異なる水平面上に配される請求項１１に記載の折り畳みキーボード。
【請求項１３】
操作状態時には、前記第１側板と前記第２側板とは、実質上平行であり、かつ、
前記第２側板は、前記第３キーアセンブリと前記第１側板とによって囲繞される請求項９に記載の折り畳みキーボード。
【請求項１４】
前記第１側板は、折り畳み状態時には、前記第２側板に対して実質上垂直である請求項９に記載の折り畳みキーボード。
【請求項１５】
前記第１キーアセンブリは、前記第１キーにより不規則に形成された第１端部を備え、
前記第２キーアセンブリは、前記第２キーにより不規則に形成され、前記第１端部を補完する第２端部を備え、かつ、
前記第１端部の前記第１キーは、前記第２端部の前記第２キーに相互に対応している請求項３に記載の折り畳みキーボード。
【請求項１６】
前記第２キーアセンブリは、前記第２キーにより不規則に形成された第３端部を備え、
前記第３キーアセンブリは、前記第３キーにより不規則に形成され、前記第３端部を補完する第４端部を備え、かつ、
前記第３端部の前記第２キーは、前記第４端部の前記第３キーに相互に対応している請求項３に記載の折り畳みキーボード。
【請求項１７】
第１キーアセンブリと、
前記第１キーアセンブリに回動可能に接続された第２キーアセンブリと、
前記第２キーアセンブリに回動可能に接続された第３キーアセンブリとを備え、
前記第１キーアセンブリは、前記第３キーアセンブリより幅が小さく、かつ、
前記第１キーアセンブリは、折り畳み状態時には、前記第２キーアセンブリと前記第３キーアセンブリとの間に配されることを特徴とする折り畳みキーボード。
【請求項１８】
前記第１キーアセンブリは、前記第２キーアセンブリの左側に配される請求項１７に記載の折り畳みキーボード。
【請求項１９】
前記第１キーアセンブリは、複数の第１キーを備え、
前記第２キーアセンブリは、複数の第２キーを備え、
前記第３キーアセンブリは、複数の第３キーを備え、かつ、
前記第１キーおよび前記第３キーは、折り畳み状態時には、前記第２キーに面している請求項１７に記載の折り畳みキーボード。
【請求項２０】
前記第１キーアセンブリは、前記第１キーにより不規則に形成された第１端部を備え、
前記第２キーアセンブリは、前記第２キーにより不規則に形成され、前記第１端部を補完する第２端部を備え、かつ、
前記第１端部の前記第１キーは、前記第２端部は前記第２キーに相互に対応している請求項１９に記載の折り畳みキーボード。
【請求項２１】
前記第２キーアセンブリは、前記第２キーにより不規則に形成された第３端部を備え、
前記第３キーアセンブリは、前記第３キーにより不規則に形成され、前記第３端部を補完する第４端部を備え、かつ、
前記第３端部の前記第２キーは、前記第４端部の前記第３キーに相互に対応している請求項１９に記載の折り畳みキーボード。
【請求項２２】
第１凸部と第１凹部とを有する第１キーアセンブリと、
前記第１キーアセンブリに回動可能に接続され、第２凸部と第２凹部とを有する第２キーアセンブリとを備え、
操作状態時には、前記第１キーアセンブリおよび前記第２キーアセンブリは、実質上同じ水平面上に配され、前記第１凸部は、前記第２凹部に嵌合され、かつ、前記第２凸部は、前記第１凹部に嵌合されることを特徴とする折り畳みキーボード。
【請求項２３】
第２キーアセンブリと、
前記第２キーアセンブリに回動可能に接続された第３キーアセンブリと、
前記第２キーアセンブリおよび第３キーアセンブリにそれぞれ軸支されたリンケージと、
前記第２キーアセンブリに軸支された第１側板と、
前記第３キーアセンブリと前記第１側板とにそれぞれ軸支された第２側板と
を備えたことを特徴とする折り畳みキーボード。
【請求項２４】
前記第２キーアセンブリは、
前記リンケージの一端に軸支された第３軸と、
前記第１側板に軸支された第４軸と
を備える請求項２３に記載の折り畳みキーボード。
【請求項２５】
前記第３キーアセンブリは、
前記リンケージの一端に軸支された第５軸と、
前記第２側板に軸支された第６軸と
を備える請求項２３に記載の折り畳みキーボード。
【請求項２６】
操作状態時には、前記第１側板および前記第２側板は、実質上平行であり、かつ、
前記第２側板は、前記第３キーアセンブリと前記第１側板とによって囲繞される請求項２３に記載の折り畳みキーボード。
【請求項２７】
前記第１側板は、折り畳み状態時には、前記第２側板に対して垂直である請求項２３に記載の折り畳みキーボード。
【発明の詳細な説明】
【技術分野】
【０００１】
本発明は、キーボードに関し、特に、折り畳み可能なキーボードに関するものである。
【背景技術】
【０００２】
図６は、従来の二つ折り式のキーボード１０の概略図である。同図において、キーボード１０は、左キー部１２と、右キー部１４と、軸１６と、左キー部１２に接続されたブラケット１８とからなる。左キー部１２は、右キー部１４に軸１６を介して軸支されている。左キー部１２および右キー部１４は、収納される際、共に軸１６を介して折り畳まれ、この折り畳まれたキーボード１０のサイズは、半分だけ縮小される。
【０００３】
ブラケット１８は、左キー部１２（または右キー部１４）に接続され、例えば、携帯情報端末（ＰＤＡ）などの携帯式電子装置（図示せず）を支持するようになっている。特に、ブラケット１８によって支持される電子装置は、見え易くするために、キーボード１０の中央位置１８’に移動させる必要がある。しかしながら、折り畳まれていないキーボード１０の中央にブラケット１８を位置させるのは容易でない。
【０００４】
図７は、従来の別の四つ折り式の折り畳みキーボード２０の概略図である。キーボード２０は、第１部２２ａと、第２部２２ｂと、第３部２２ｃと、第４部２２ｄとからなり、図６に示したような方法で折り畳むことができる。しかしながら、この折り畳んだキーボード２０は、非常に厚くなる。また、第２部２２ｂと第３部２２ｃとの間のいくつかのキー２４は、キーボード２０が折り畳まれた時、外側に突出され、容易にダメージを受けてしまう。したがって、キーボード２０のスペースキー２４は、それぞれ第２部２２ｂと第３部２２ｃに配され、二つの部分に分けられなければならないが、これは、キーボード２０を操作する際の使用感を劣化させることになる。
【発明の開示】
【発明が解決しようとする課題】
【０００５】
そこで、本発明は、携行性および収納性に優れた薄型の折り畳みキーボードを提供することを目的とする。
【課題を解決するための手段】
【０００６】
本発明に係る折り畳みキーボードは、第１キーアセンブリと、第１キーアセンブリに回動可能に接続された第２キーアセンブリと、第２キーアセンブリに回動可能に接続された第３キーアセンブリとを備える。そして、折り畳み状態時には、第１キーアセンブリが、第２と第３キーアセンブリとの間に配される。また、操作状態時には、第１キーアセンブル、第２キーアセンブリ、および第３キーアセンブリは、実質上同じ水平面上に配される。
【０００７】
好ましい実施形態では、第１キーアセンブリは、第２キーアセンブリの左側に配されている。折り畳みキーボードが折り畳み状態にある時には、第１キーアセンブリのキーは、第２キーアセンブリのキーに面している。また、折り畳み状態時には、第１ホック部は、第１ロック部と係合され、第１キーアセンブリを固定する。
【０００８】
第１キーアセンブリは、第１凸部と第１凹部とを備え、かつ、第２キーアセンブリは、第２凸部と第２凹部とを備える。折り畳みキーボードが操作状態にある時には、第１キーアセンブリと第２キーアセンブリは、実質上同じ水平面上に配され、第１凸部が第２凹部に嵌合され、かつ、第２凸部が第１凹部に嵌合され、第１キーアセンブリと第２キーアセンブリとの間の相互動作（ずれ）を防止するようになっている。
【０００９】
本発明に係る折り畳みキーボードは、第１キーアセンブリと第２キーアセンブリとを接続する接続部をさらに備える。この接続部は、第１キーアセンブリに軸支された第１回転軸と、第１回転軸から間隔をあけて第２キーアセンブリに軸支された第２回転軸とを備える。さらに、この接続部は、第２ホック部を備え、かつ、第３キーアセンブリは、第２ロック部を備える。そして、折り畳み状態時には、第２ホック部が、第２ロック部に係合され、第３キーアセンブリを固定するようになっている。
【００１０】
好ましい実施形態では、本発明に係る折り畳みキーボードは、第２キーアセンブリおよび第３キーアセンブリにそれぞれ軸支されたリンケージと、第２キーアセンブリに軸支された第１側板と、第３キーアセンブリと第１側板とにそれぞれ軸支された第２側板とをさらに備える。
【００１１】
第２キーアセンブリは、リンケージの一端に軸支された第３軸と、第１側板に軸支された第４軸とを備える。また、第３キーアセンブリは、リンケージの一端に軸支された第５軸と、第２側板に軸支された第６軸とを備える。そして、第２キーアセンブリ、第３キーアセンブリ、リンケージ、第１側板および第２側板は、５つのリンケージ機構として機能する。
【００１２】
折り畳みキーボードが操作状態にある時には、第３軸と第４軸とは、それぞれ異なる水平面上に配され、第５軸と第６軸とは、それぞれ異なる水平面上に配され、第１側板と第２側板とは、実質上平行であり、かつ、第２側板は、第３キーアセンブリと第１側板とによって囲繞されている。折り畳み状態時には、第１側板は、第２側板に対して実質上垂直になっている。
【００１３】
好ましい実施形態では、第１キーアセンブリは、第１キーにより不規則に形成された第１端部を備え、かつ、第２キーアセンブリは、第２キーにより不規則に形成され、第１端部を補完する第２端部を備え、第１端部の第１キーは、第２端部の第２キーに相互に対応している。第２キーアセンブリは、第２キーにより不規則に形成された第３端部を備え、第３キーアセンブリは、第３キーにより不規則に形成され、第３端部を補完する第４端部を備え、第３端部の第２キーは、第４端部の第３キーに相互に対応している。
【００１４】
別の実施形態では、折り畳みキーボードは、第１キーアセンブリと、第１キーアセンブリに回動可能に接続された第２キーアセンブリと、第２キーアセンブリに回動可能に接続された第３キーアセンブリとを備え、第１キーアセンブリの幅が、第３キーアセンブリの幅より小さくなっており、折り畳みキーボードが折り畳み状態にある時には、第１キーアセンブリは、第２キーアセンブリと第３キーアセンブリとの間に配される。
【００１５】
本発明の別の折り畳みキーボードは、第１凸部と第１凹部とを有する第１キーアセンブリと、第１キーアセンブリに回動可能に接続され、第２凸部と第２凹部とを有する第２キーアセンブリとを備える。折り畳みキーボードが操作状態にある時には、第１キーアセンブリと第２キーアセンブリとは、実質上同じ水平面上に配され、第１凸部は、第２凹部に嵌合され、第２凸部は、第１凹部に嵌合される。
【００１６】
本発明の三つ折り式の折り畳みキーボードは、従来の四つ折り式のキーボードより薄く、従来の四つ折り式のキーボードより操作が簡単であり、かつ、携行および収納が容易である。また、本発明に係る折り畳みキーボードは、左右のキーアセンブリ（第１キーアセンブと第３キーアセンブリ）を中央部（第２キーアセンブリ）に折り重ねることで折り畳まれ、ゴミが溜まるのを防ぐとともに、キーのダメージを防止することができる。
【００１７】
また、第１キーアセンブリの幅は、第３キーアセンブリの幅より小さくなっている。これにより、スペースキーをキーボードの中央部に配すことができ、つまり、スペースキーを二つの部分に分けて異なるキーアセンブリ上にそれぞれ配すという必要性をなくすことができる。
【発明の効果】
【００１８】
本発明の三つ折り式の折り畳みキーボードによれば、便利に携行および収納することができ、キーボードの左右のキーアセンブリを中央部に折り畳むことにより、ゴミが溜まるのを防ぎ、キーをダメージから保護することができ、かつ、スペースキーを２つの部分に分けて、異なるキーアセンブリ上にそれぞれ配すという必要性をなくすことができる。
【発明を実施するための最良の形態】
【００１９】
本発明についての目的、特徴、および長所をより明確にするために、以下に本発明の好ましい実施形態を例示し、図面を参照にしながら、詳細に説明する。
【００２０】
図１は、本発明に係る折り畳みキーボードの分解図であり、図２Ａは、操作時の折り畳みキーボードの上面図である。折り畳みキーボード１００は、三つ折り式のキーボードであり、第１キーアセンブリ３０と、該第１キーアセンブリ３０の左側に回動可能に接続された第２キーアセンブリ４０と、第２キーアセンブリ４０の右側に回動可能に接続された第３キーアセンブリ５０とを備えている。
【００２１】
第１キーアセンブリ３０は、第１ハウジング３２と、該第１ハウジングに配された複数の第１キー３４とからなる。第２キーアセンブリ４０は、第２ハウジング４１と、該ハウジング４１に配された複数の第２キー４２とからなる。第３キーアセンブリ５０は、第３ハウジング５２と、該ハウジング５２に配された複数の第３キー５４とからなる。
【００２２】
第１キーアセンブリ３０は、第１キー３４により不規則に形成された第１端部Ｅ１を備えている。また、第２キーアセンブリ４０は、第２キー４２により不規則に形成され、第１端部Ｅ１を補完する第２エッジ部Ｅ２を備えている。第１エッジＥ１の第１キー３４は、第２エッジＥ２の第２キー４２に相互に対応している。図２Ａに示すように、キーボード１００は、標準のキーボードと同じように配列される。
【００２３】
図１において、キーボード１００は、接続部６０と、第１側板７０と、第２側板８０と、リンケージ９０とをさらに備えている。
【００２４】
接続部６０は、第１キーアセンブリ３０に接続される。第２キーアセンブリ４０は、第１キーアセンブリ３０に軸支された第１回転軸６２と、第１回転軸６２から間隔をあけて第２キーアセンブリ４０に軸支された第２回転軸６４とを備えている。接続部６０の第１回転軸６２および第２回転軸６４は、それぞれ、第１ハウジング３２のスルーホール３７と第２ハウジング４１のスルーホール４４とに軸支されている。よって、第１キーアセンブリ３０は、第２キーアセンブリ４０に対して回動可能になっている。
【００２５】
第２キーアセンブリ４０は、リンケージ９０の端に配されたスルーホール９２に軸支された第３軸４８と、第１側板７０に軸支された第４軸４９とを備えている。第３キーアセンブリ５０は、リンケージ９０の他端に配されたスルーホール９４に軸支された第５軸５７と、第６軸５８とを備えている。第２側板８０の両端は、それぞれ第１側板７０と第３キーアセンブリ５０の第６軸５８に軸支されている。第２キーアセンブリ４０、第３キーアセンブリ５０、リンケージ９０、第１側板７０、および第２側板８０は、第３キーアセンブリ５０を第２キーアセンブリ４０に対して回動させるための５つのリンケージ機構を構成している。
【００２６】
図２Ｂは、図２Ａのキーボード１００の側面図である。折り畳まれていないキーボード１００が卓上（未表示）で操作状態にある時には、キーボード１００の左側および右側、接続部６０、および第１側板７０は、４つの支持部材となり、第１キーアセンブリ３０、第２キーアセンブリ４０、第３キーアセンブリ５０が、実質上水平に配される。
【００２７】
図２Ｃは、図２Ａのラインａ−ａ’に沿った折り畳みキーボードの断面図である。キーボード１００が折り畳まれていない時には、第２ハウジング４１の第３軸４８および第４軸４９は、それぞれ単独に配され、第３ハウジング５２の第５軸５７および第６軸５８は、それぞれ個別の面に配される。リンケージ９０は、第３軸４８と第５軸５７とに水平状態で接続され、第１側板７０と第２側板８０とは、平行になっている。第３キーアセンブリ５０と第１側板７０とによって囲繞された第２側板８０は、キーボード１００の底部に配されている。第２ハウジング４１は、第４軸４９の右側から第３ハウジング５２に至る部分がフランジになっており、第３キーアセンブリ５０を水平に安定させるようになっている。
【００２８】
図３Ａは、折り畳み状態でのキーボード１００の透視図である。従来の折り畳みキーボードでは、ほとんどのファンクションは、キーボードの右側に配され、一方、“Ｆ”、“Ｊ”、およびスペースキー４７は、左側寄りに配されていた。したがって、スペースキー４７は、２つの部分に分けられ、それぞれ異なるキーアセンブリに配されなければならなかった。本実施形態では、“Ｆ”キーを第２キーアセンブリ４０に収容するために、キーボード１００の左側に配された第１キーアセンブリ３０が、第３キーアセンブリ５０より短くなっている。キーボード１００の左側に配された第１キーアセンブリ３０をキーボード１００の中央に配された第２キーアセンブリ４０に向かって折り畳むことにより、第１キーアセンブリ３０の第１キー３４は、第２キーアセンブリ４０の第２キー４２に面するようになっている。また、第２キーアセンブリ４０の第１ロック部４３（図２Ａ）は、第１キーアセンブリ３０の第１ホック部３６によってロック可能であり、これにより、第１キーアセンブリ３０をしっかりと固定することができる。
【００２９】
図３Ｂにおいて、第１キーアセンブリ３０の第１ハウジング３２は、第１凸部３８と第１凹部３９とを備え、第２キーアセンブリ４０は、第２凸部４５と第２凹部４６とを備えている。折り畳みキーボード１００が操作状態にある時には、第１凸部３８は、第２凹部４６に嵌合され、かつ、第２凸部４５は、第１凹部３９に嵌合される。第１凸部３８と第２凸部４５とが交互に配されていることにより、第１キーアセンブリ３０が第２キーアセンブリ４０に対して回動された場合、すなわち、第１キーアセンブリ３０と第２キーアセンブリ４０とが相互に動かされた場合に、第１キーアセンブリ３０から突出した“Ｄ”キーが第２ハウジング４１に衝突するのを防ぐことができる。仮にキーボード１００が操作状態にある時でも、第１キーアセンブリ３０と第２キーアセンブリ４０とは、実質上同じ高さに維持され、安定化されている。
【００３０】
図３Ｃは、図３Ａの領域ｂの拡大図である。図３Ａおよび図３Ｃでは、第５軸５７は、第３ハウジング５２の端から適当な距離だけ離れているので、第３ハウジング５２に接触する第２ハウジング４１の端は、回転点として機能する。上述の５つのリンケージ機構に基づいて、第２，第３キーアセンブリ４０，５０から突出した第２，第３キー４２，５４を上げる過程で、第２，第３キー４２，５４が第２ハウジング４１または第３ハウジング５２に衝突するのを防ぐことができる。
【００３１】
図４Ａは、別の折り畳み状態にある本発明の折り畳みキーボードの透視図である。図３Ａも参照し、第１キーアセンブリ３０が第２キーアセンブリ４０に重なると、続いて、第３キーアセンブリ５０が第１キーアセンブリ３０の背面に重なるようになっている。第３キーアセンブリ５０の第２ロック部５６（図３Ａ）は、接続部６０の第２ホック部６６によってロック可能であり、これにより、第３キーアセンブリ５０は、しっかりと固定される。図５に示された折り畳まれた状態では、折り畳まれた第１キーアセンブリ３０は、第２キーアセンブリ４０と第３キーアセンブリ５０との間に配され、第１キーアセンブリ３０の第１キー３４および第３キーアセンブリ５０の第３キー５４は、第２キーアセンブリ４０の第２キー４２に面している。
【００３２】
図４Ｂは、図４Ａの領域ｃの拡大した断面図である。リンケージ９０は、キーボード１００の厚さとほぼ同じ長さを有している。キーボード１００が折り畳み状態にある時には、第１側板７０は、第２側板８０に対して垂直になり、第１，第２，第３キーアセンブリ３０，４０，５０の間の間隙を隠すようになっている。また、第１，第２側板７０，８０によって、キーがダメージから保護されるとともに、ゴミ（埃）が間隙に侵入を防止するようになっている。
【００３３】
第１キーアセンブリ３０と第３キーアセンブリ５０とを互いにしっかりと固定するために、第１ホック部３６および第１ロック部４３のデザインを変更してもよい。同様に、第２ホック部６６および第２ロック部５６のデザインも変更可能である。
【００３４】
キーボード１００が従来の折り畳みキーボードより薄い以外に、折り畳みキーボード１００は、携行および収納に便利である。特に、キーボード１００は、主として、その左右のキーアセンブリ（第１，第３キーアセンブリ３０，５０）を、中央のアセンブリ（第２キーアセンブリ２０）に折り重ねることによって折り畳まれ、ゴミの侵入を防ぎ、キーをダメージから保護するようになっている。
【００３５】
図２Ａにおいて、第１キーアセンブリ３０が第３キーアセンブリ５０より短いことにより、“Ｆ”、“Ｊ”、およびスペースキー４７をキーボード１００の中央部（すなわち、キーボード１００の第２キーアセンブリ４０）に配すことができる。“Ｆ”、“Ｊ”キーは、スペースキー４７の中央に対してほぼ左右対称になっている。キーボード１００操作時には、ユーザーの両親指をスペースキー４７上に左右対称に配し、左の人差し指を“Ｆ”キーの上に配し、かつ、右の人差し指を“Ｊ”キーの上に配すことができ、スペースキー４７を二つの部分に分けて、それぞれ異なるキーアセンブリに配すという必要性をなくすことができる。
【００３６】
以上、本発明の好適な実施形態について具体的に開示してきたが、本発明はこれに限定されるものではなく、本発明の精神および範囲を逸脱しない限りにおいては、当業者であれば行い得る変更や改変を付加することは可能である。したがって、本発明の保護範囲は、特許請求の範囲で指定した内容を基準とする。
【図面の簡単な説明】
【００３７】
【図１】本発明の折り畳みキーボードの分解図である。
【図２Ａ】操作状態での本発明の折り畳みキーボードの上面図である。
【図２Ｂ】操作状態での本発明の折り畳みキーボードの側面図である。
【図２Ｃ】図２Ａのラインａ−ａ’に沿った折り畳みキーボードの断面図である。
【図３Ａ】折り畳み状態にある本発明の折り畳みキーボードの透視図である。
【図３Ｂ】図２Ａの第１と第２ハウジングの上面図である。
【図３Ｃ】図３Ａの領域ｂの拡大図である。
【図４Ａ】別の折り畳み状態にある本発明の折り畳みキーボードの透視図である。
【図４Ｂ】図４Ａの領域ｃの拡大した断面図である。
【図５】折り畳み状態での本発明の折り畳みキーボードの透視図である。
【図６】従来の折り畳みキーボードの概略図である。
【図７】従来のもう一つの折り畳みキーボードの概略図である。
【符号の説明】
【００３８】
１０・・・二つ折り式キーボード
１２・・・左キー部
１４・・・右キー部、
１６・・・軸
１８・・・ブラケット
２０・・・四つ折り式折り畳みキーボード
２２ａ・・・第１部
２２ｂ・・・第２部、
２２ｃ・・・第３部
２２ｄ・・・第４部
２４・・・キー
１００・・・折り畳みキーボード
３０・・・第１キーアセンブリ
３２・・・第１ハウジング
３４・・・第１キー
３６・・・第１ホック部
３７・・・スルーホール
３８・・・第１凸部
３９・・・第１凹部
４０・・・第２キーアセンブリ
４１・・・第２ハウジング
４２・・・第２キー
４３・・・第１ロック部
４４・・・スルーホール
４５・・・第２凸部
４６・・・第２凹部
４７・・・スペースキー
４８・・・第３軸
４９・・・第４軸
５０・・・第３キーアセンブリ
５２・・・第３ハウジング
５４・・・第３キー
５６・・・第２ロック部
５７・・・第５軸
５８・・・第６軸
６０・・・接続部
６２・・・第１回転軸
６４・・・第２回転軸
６６・・・第２ホック部
７０・・・第１側板
８０・・・第２側板
９０・・・リンケージ
９２、９４・・・スルーホール
Ｅ１・・・第１端部
Ｅ２・・・第２端部
Ｅ３・・・第３端部
Ｅ４・・・第４端部
【図１】
2005302016.tif 000003
【図２Ａ】
2005302016.tif 000004
【図２Ｂ】
2005302016.tif 000005
【図２Ｃ】
2005302016.tif 000006
【図３Ａ】
2005302016.tif 000007
【図３Ｂ】
2005302016.tif 000008
【図３Ｃ】
2005302016.tif 000009
【図４Ａ】
2005302016.tif 000010
【図４Ｂ】
2005302016.tif 000011
【図５】
2005302016.tif 000012
【図６】
2005302016.tif 000013
【図７】
2005302016.tif 000014